(57)【要約】【課題】  記録媒体に保存された画像データに対して効率的な検索を行うこと。【解決手段】  エレベータ利用者が認証装置２に所定の操作を行うと、その認証結果が認証結果対応付け手段７に送られる。また、防犯カメラ１からの画像データは画像データ記録手段４に入力される。画像データ記録手段４はこの画像データを記録媒体５に記録する。このとき、画像データ記録手段４は、記録媒体５における画像データのデータアドレスを認証結果対応付け手段７に出力する。認証結果対応付け手段７は、各エレベータ利用者毎の認証結果と、画像データ記録手段４からのデータアドレスとを対応付ける。その後、画像データ検索手段６はリモコン１０からの指令に基づき検索を行い、表示部９はその検索結果を表示する。【選択図】  図１
2006103854.tif 000002
【特許請求の範囲】
【請求項１】
エレベータ乗場又はエレベータかご内の少なくともいずれか一方に、エレベータ利用者を撮影するための防犯カメラと、このエレベータ利用者に対してエレベータ利用を許可すべきか否かについての認証を行う認証装置とが設けられ、更に前記防犯カメラからの画像データを保存し、この保存した画像データを所定の検索条件に基づき検索して表示部に表示することが可能な画像記録装置を備えたエレベータのセキュリティシステムにおいて、
前記画像記録装置は、前記認証装置の認証結果を画像データに対応付け、この認証結果を含む検索条件の入力に基づき画像データの検索を行う画像データ検索手段を有するものである、
ことを特徴とするエレベータのセキュリティシステム。
【請求項２】
前記認証結果には、認証成功又は認証失敗のいずれも含まれる、
ことを特徴とする請求項１記載のエレベータのセキュリティシステム。
【請求項３】
前記表示部が前記画像データ検索手段の検索結果を表示する際には、認証対象に係るエレベータ利用者を特定するための付随情報も表示する、
ことを特徴とする請求項１又は２記載のエレベータのセキュリティシステム。
【請求項４】
前記エレベータ利用者を特定するための付随情報には、予め登録された認証ＩＤ、エレベータ利用者の部屋番号、エレベータ利用者の氏名のうちの少なくともいずれかが含まれる、
ことを特徴とする請求項３記載のエレベータのセキュリティシステム。
【発明の詳細な説明】
【技術分野】
【０００１】
本発明は、エレベータ乗場又はエレベータかご内の少なくともいずれか一方に防犯カメラ及び認証装置が設けられたエレベータのセキュリティシステムに関するものである。
【背景技術】
【０００２】
マンション等の集合住宅においては、原則として建物に入ることができるのは住民及びその関係者（以下、「住民等」と略す）であり、それ以外の者（以下、「非関係者」と略す）は、防犯上の観点から建物に入ることが禁止されるのが通常である。したがって、建物内に設置されるエレベータについても、住民等に対してはエレベータ使用が許可されるが、非関係者に対してはエレベータ使用は禁止されている。
【０００３】
そして、住民等と非関係者との識別は、以前は管理人が行うことが多かったが、最近では管理人の労力軽減のため、あるいは管理人を置いていない集合住宅も増えてきたため、エレベータ乗場やエレベータかご内に認証装置を設置する例が多くなってきている（例えば、特許文献１参照）。また、最近のエレベータシステムではエレベータ乗場やエレベータかご内に防犯カメラを設置する例が多くなってきている（例えば、特許文献２参照）。
【０００４】
ところで、防犯カメラからの画像データは、エレベータ乗場やエレベータかご内、あるいは管理人室や監視室が設置されている場合にはこれらの室内に設けられている表示部（ディスプレイ）にリアルタイムで写し出され、防犯効果を高めることが企図されているが、更に、記録媒体に保存され、これにより犯罪発生後の捜査に資することも企図されている。そして、記録媒体に保存された画像データを検索して再生する場合、従来は、防犯カメラによる撮影日時を検索キーワードとして用いていた。
【特許文献１】特開平１１−３４９２３８号公報
【特許文献２】特許第２６２７４５５号公報
【発明の開示】
【発明が解決しようとする課題】
【０００５】
しかし、犯罪又は犯罪に関連する事象が発生した時刻を具体的に特定できる場合には、上記の撮影日時を検索キーワードとすることで目的とする画像データを容易に取得することができるが、そうでない場合には膨大な量の画像データを再生して目的とする画像データを探し出さなければならず、多大な労力を費やさなければならなかった。
【０００６】
本発明は上記事情に鑑みてなされたものであり、記録媒体に保存された画像データに対して効率的な検索を行うことが可能なエレベータのセキュリティシステムを提供することを目的としている。
【課題を解決するための手段】
【０００７】
上記課題を解決するための手段として、請求項１記載の発明は、エレベータ乗場又はエレベータかご内の少なくともいずれか一方に、エレベータ利用者を撮影するための防犯カメラと、このエレベータ利用者に対してエレベータ利用を許可すべきか否かについての認証を行う認証装置とが設けられ、更に前記防犯カメラからの画像データを保存し、この保存した画像データを所定の検索条件に基づき検索して表示部に表示することが可能な画像記録装置を備えたエレベータのセキュリティシステムにおいて、前記画像記録装置は、前記認証装置の認証結果を画像データに対応付け、この認証結果を含む検索条件の入力に基づき画像データの検索を行う画像データ検索手段を有するものである、ことを特徴とする。
【０００８】
請求項２記載の発明は、請求項１記載の発明において、前記認証結果には、認証成功又は認証失敗のいずれも含まれる、ことを特徴とする。
【０００９】
請求項３記載の発明は、請求項１又は２記載の発明において、前記表示部が前記画像データ検索手段の検索結果を表示する際には、認証対象に係るエレベータ利用者を特定するための付随情報も表示する、ことを特徴とする。
【００１０】
請求項４記載の発明は、請求項３記載の発明において、前記エレベータ利用者を特定するための付随情報には、予め登録された認証ＩＤ、エレベータ利用者の部屋番号、エレベータ利用者の氏名のうちの少なくともいずれかが含まれる、ことを特徴とする。
【発明の効果】
【００１１】
本発明によれば、防犯カメラからの画像データを保存する画像記録装置は、認証装置の認証結果を画像データに対応付け、この認証結果を含む検索条件の入力に基づき画像データの検索を行う画像データ検索手段を有しているので、記録媒体に保存された画像データに対して効率的な検索を行うことができる。
【発明を実施するための最良の形態】
【００１２】
図１は、本発明の実施形態の構成を示すブロック図である。エレベータ乗場には防犯カメラ１、認証装置２、及び画像記録装置３が設置されている。この画像記録装置３は、画像データ記録手段４、記録媒体５、認証結果対応付け手段７を有する画像データ検索手段６、及び表示制御手段８を含んで構成されている。そして、記録媒体５に記録された画像データは、表示制御手段８の制御により表示部９の画面に表示されるようになっている。また、リモコン１０は、検索条件として、いくつかの検索キーワードを画像データ検索手段６に対して出力できるようになっている。
【００１３】
なお、本実施形態では、図１に示したセキュリティシステムはエレベータ乗場に設置されているものとして説明しているが、エレベータかご内に同じ構成のセキュリティシステムを設置することも可能である。あるいは、エレベータ乗場及びエレベータかご内の双方に図１に示したセキュリティシステムを設置することも可能である。
【００１４】
次に、図１の動作につき説明する。エレベータ利用者がエレベータに乗ろうとして認証装置２に近づき、所定の操作を行ったとする。このときの認証装置２の認証結果は、図示を省略してあるエレベータ制御装置に送られる。そして、認証結果が「成功」であれば、エレベータ制御装置はエレベータ利用者による乗場呼びに応答し、一方、認証結果が「失敗」であれば、エレベータ制御装置はエレベータ利用者による乗場呼びに応答しない。
【００１５】
防犯カメラ１は、エレベータ利用者が認証装置２に対して操作を開始した時点で、エレベータ利用者の撮影動作を開始し、認証結果が「成功」の場合は、エレベータ利用者がエレベータかごに乗り込みエレベータドアが閉まった時点で撮影動作を終了する。一方、認証結果が「失敗」の場合は所定時間が経過した時点で撮影動作を終了する。このときの防犯カメラ１からの画像データは、画像記録装置３に出力されて保存されるが、これと同時に直接に表示部９に出力される。したがって、表示部９ではエレベータ利用者の姿がリアルタイムで表示される。また、このときの認証装置２の認証結果は画像データ検索手段６の認証結果対応付け手段７に送られる。
【００１６】
防犯カメラ１から画像記録装置３に出力された上記の画像データは画像データ記録手段４に入力される。画像データ記録手段４はこの画像データを記録媒体５に記録する。このとき、画像データ記録手段４は、記録媒体５における画像データのデータアドレスを認証結果対応付け手段７に出力する。認証結果対応付け手段７は、各エレベータ利用者毎の認証結果と、画像データ記録手段４からのデータアドレスとを対応付け、その対応付けに関するデータを自己のメモリーに保存しておく。このような動作が、各エレベータ利用者が認証装置２に対して認証のための操作を行う毎に繰り返される。
【００１７】
さて、建物内で犯罪事件が発生した場合等は、捜査資料としてエレベータの利用記録をチェックする必要が生じる。このような場合、エレベータ管理者（又は管理者に相当する者）は、リモコン１０で所定の操作を行うようにする。すると、リモコン１０から画像データ検索指令が画像データ検索手段６に送られ、画像データ検索手段６はこれに基づき表示制御手段８に対して検索メニュー画面を表示すべきことを指令する。
【００１８】
図２（ａ）は、このときの表示部９における検索メニュー画面の表示例であり、「認証成功」、「認証失敗」、「全て」、「時刻指定」の４つのボタンが表示されている。「認証成功」は、建物への出入りが許可された住民等であると認証されたエレベータ利用者の画像データを表示しようとする場合にクリックするボタンであり、「認証失敗」は、建物への出入りが許可されない非関係者であると認証されたエレベータ利用者の画像データを表示しようとする場合にクリックするボタンであり、「全て」は、「認証成功」及び「認証失敗」の双方のエレベータ利用者を表示しようとする場合にクリックするボタンであり、「時刻指定」は、認証結果ではなく防犯カメラ１の撮影時刻に基づきエレベータ利用者を表示しようとする場合にクリックするボタンである。
【００１９】
そして、エレベータ管理者が例えば「全て」のボタンをクリックしたとすると、図２（ｂ）に示すような、「日付」、「時刻」、「結果」、及び「認証ＩＤ」により特定される画像データの一覧表が表示部９の画面に表示される。この「認証ＩＤ」は、認証対象に係るエレベータ利用者を特定するための付随情報として表示されるものであり、これによりエレベータ管理者はエレベータ利用者が誰であるかを容易に知ることができる。
【００２０】
エレベータ管理者は、例えば認証ＩＤが「２０５」のエレベータ利用者の画像データを確認しようとする場合、図２（ｂ）に示すような、２００４年１月１日１０時４０分３０秒に撮影を開始し、認証結果が「成功」で、認証ＩＤが「２０５」の画像データにカーソルを合わせ、これをクリックして選択すればよい。
【００２１】
すると、この選択された画像データに基づき、表示部９の画面には、図２（ｃ）に示すように、エレベータ乗場に立っているエレベータ利用者の動画像が写し出される。このとき、画面下方には、撮影開始日時、認証結果、及び認証ＩＤが表示される。これにより、エレベータ利用者が真に認証ＩＤ「２０５」に係る人物であるか否かや、その様子や挙動を確認することができる。
【００２２】
以上説明した図１のシステム構成によれば、画像記録装置３における画像データ検索手段６の認証結果対応付け手段７が、防犯カメラ１からの画像データが画像データ記録手段４により記録媒体５に保存される際に、この画像データと認証装置２の認証結果とを対応付けており、画像データ検索手段６はこの認証結果を含む検索条件の入力に基づき検索動作を行うようになっているので、エレベータ管理人は記録媒体５に保存された画像データに対して効率的な検索を行うことができ、所望の画像データを迅速且つ容易に抽出して、これを再生することができる。
【００２３】
なお、上記実施形態では、所望の画像データを画面に再生する場合、図２（ｃ）の下方に示したように、エレベータ利用者の認証ＩＤを付随データとして表示するようにしているが、システムに認証装置管理サーバを設置して、付随データとして種々のものを表示することが可能である。例えば、「Ａ棟２０５号室」のようにエレベータ利用者の部屋番号を表示してもよいし、「男性・４５歳・会社員」のようにエレベータ利用者の性別、年齢、職業を表示してもよい。あるいは更に、エレベータ利用者の氏名そのものを表示することも可能である。これにより、犯罪事件の捜査等に画像データを利用しようとする場合に、捜査の進捗状況に応じた効率的な検索作業を行うことができる。
【図面の簡単な説明】
【００２４】
【図１】本発明の実施形態の構成を示すブロック図。
【図２】図１における表示部９の画面表示例を示す説明図。
【符号の説明】
【００２５】
１  防犯カメラ
２  認証装置
３  画像記録装置
４  画像データ記録手段
５  記録媒体
６  画像データ検索手段
７  認証結果対応付け手段
８  表示制御手段
９  表示部
１０  リモコン
【図１】
2006103854.tif 000003
【図２】
2006103854.tif 000004